(57)【要約】【課題】放射能汚染水から放射性物質を除去して汚染水を無害化する。【解決手段】放射能汚染水処理システムは、汚染水を減圧雰囲気下で気化させて蒸発水と濃縮汚染水とに分離する蒸発処理装置１０と、蒸発処理装置１０で分離された蒸発水が供給され、当該蒸発水に残存する放射性物質を除去する逆浸透膜装置２０とを備える。蒸発処理装置１０は、汚染水が供給される蒸発器１１と、蒸発器１１内を減圧して、放射性物質の融点よりも低い温度で汚染水を気化させる圧縮機１２と、圧縮機１２から排出される圧縮蒸気が供給され、当該圧縮蒸気の有する熱を蒸発器１１内の汚染水に与える蒸気移送兼伝熱管１３とを有する。【選択図】図１
2013040868.tif 000002
【特許請求の範囲】
【請求項１】
汚染水に含まれる放射性物質を除去するための放射能汚染水処理システムであって、
汚染水を減圧雰囲気下で気化させて蒸発水と濃縮汚染水とに分離する蒸発処理装置と、
前記蒸発処理装置で分離された蒸発水が供給され、当該蒸発水に残存する放射性物質を除去する逆浸透膜装置または正浸透膜装置と、
を備え、
前記蒸発処理装置は、
汚染水が供給される蒸発器と、
前記蒸発器内を減圧して、放射性物質の融点よりも低い温度で汚染水を気化させる圧縮機と、
前記圧縮機から排出される圧縮蒸気が供給され、当該圧縮蒸気の有する熱を前記蒸発器内の汚染水に与える蒸気移送兼伝熱管と、
を有することを特徴とする、放射能汚染水処理システム。
【請求項２】
請求項１に記載の放射能汚染水処理システムにおいて、
前記蒸発処理装置が、複数直列に配置されており、
前記蒸発処理装置で分離された蒸発水が、別の前記蒸発処理装置の蒸発器に供給されることを特徴とする、放射能汚染水処理システム。
【請求項３】
請求項１または２に記載の放射能汚染水処理システムにおいて、
前記蒸気移送兼伝熱管が、前記蒸発器の外周面に取り付けられていることを特徴とする、放射能汚染水処理システム。
【請求項４】
汚染水に含まれる放射性物質を除去するための放射能汚染水処理方法であって、
蒸発器内を圧縮機により減圧して、前記蒸発器内の汚染水を放射性物質の融点よりも低い温度で気化させるとともに、前記圧縮機から排出される圧縮蒸気の有する熱で前記蒸発器内の汚染水を加温する蒸発処理工程と、
前記蒸発処理工程により得られた蒸発水を逆浸透膜装置または正浸透膜装置に供給して、当該蒸発水に残存する放射性物質を除去する濾過工程と、
を有することを特徴とする、放射能汚染水処理方法。
【発明の詳細な説明】
【技術分野】
【０００１】
本発明は、汚染水に含まれる放射性物質を除去するための放射能汚染水処理システムおよび放射能汚染水処理方法に関する。
【背景技術】
【０００２】
従来から、汚放射性物質を含む汚染水から放射性物質を除去する方法として、蒸発濃縮による方法が知られている。例えば特許文献１に記載の脱汚染装置では、放射能汚染水を高温蒸気などで加熱して沸騰させて、汚放射性物質濃度の低い蒸気を得ている。
【０００３】
また、蒸発濃縮装置としては、例えば特許文献２に、溶液を減圧雰囲気下で加熱して沸騰させる蒸発濃縮装置が開示されている。特許文献２の蒸発濃縮装置では、蒸発器内を蒸気エゼクターで減圧するとともに、蒸気エゼクターで圧縮された蒸気の熱で蒸発器内の溶液を加熱して沸騰させている。この蒸気エゼクターには、蒸発器内の蒸気に加えて、駆動のための高圧蒸気が供給されるようになっている。
【先行技術文献】
【特許文献】
【０００４】
【特許文献１】特公平３−３６１９９号公報
【特許文献２】特開２０１１−７２８５８号公報
【発明の概要】
【発明が解決しようとする課題】
【０００５】
しかしながら、放射性物質の１つであるセシウムは、融点が２８℃と低いため、特許文献１のように汚染水を常温よりも高い温度に加熱すると、セシウムは液化し、蒸発しやすくなる。その結果、汚染水を沸騰させて得られる水蒸気に、高濃度の放射性物質が含まれてしまう。
【０００６】
また、特許文献２のように蒸発器内を減圧すると溶液の沸点を下げることができるものの、特許文献２の蒸発濃縮装置は、特に放射能汚染水の処理を目的としたものではなく、溶液を常温よりも高い温度（例えば８０℃）に加熱して沸騰させているため、特許文献２の蒸発濃縮装置を放射能汚染水の処理に用いた場合、蒸気中の放射性物質濃度が高くなってしまう。
【０００７】
また、たとえ、常温付近で沸騰するように蒸発器内の圧力を下げて、放射性物質の液化を防止したとしても、発生した蒸気によって固体状態の放射性物質の一部が運ばれてしまう場合があるため、蒸発濃縮だけでは、汚染水に含まれる放射性物質をほぼ完全に除去することができない。
【０００８】
そこで、本発明は、放射能汚染水から放射性物質を除去して汚染水を無害化できる放射能汚染水処理システムおよび放射能汚染装置を提供することを目的とする。
【課題を解決するための手段及び発明の効果】
【０００９】
第１の発明の放射能汚染水処理システムは、汚染水に含まれる放射性物質を除去するための放射能汚染水処理システムであって、汚染水を減圧雰囲気下で気化させて蒸発水と濃縮汚染水とに分離する蒸発処理装置と、前記蒸発処理装置で分離された蒸発水が供給され、当該蒸発水に残存する放射性物質を除去する逆浸透膜装置または正浸透膜装置と、を備え、前記蒸発処理装置は、汚染水が供給される蒸発器と、前記蒸発器内を減圧して汚染水を気化させる圧縮機と、前記圧縮機から排出される圧縮蒸気が供給され、当該圧縮蒸気の有する熱を前記蒸発器内の汚染水に与える蒸気移送兼伝熱管と、を有することを特徴とする。
【００１０】
この構成によると、蒸発器内を減圧して、放射性物質の融点よりも低い温度で汚染水を気化させるため、汚染水中の放射性物質が液化するのを防止できる。そのため、放射性物質が蒸発するのを防止でき、水蒸気中の放射性物質濃度を低減できる。
また、圧縮機から排出された圧縮蒸気の有する熱を蒸発器内の汚染水に与えるため、気化による汚染水の温度低下を補完することができ、汚染水の温度を安定化できる。また、圧縮蒸気を汚染水との熱交換により凝縮させることができるため、圧縮蒸気を凝縮させるための冷却手段を別途設けなくて済む。
また、逆浸透膜および正浸透膜はほぼ水だけを通すため、逆浸透膜装置または正浸透膜装置を用いて蒸発水に残存する放射性物質を除去することにより、蒸発水を無害化できる。
さらに、逆浸透膜または正浸透膜に供給する蒸発水の水温が４０℃以下のため、特別な冷却装置を設けることなく直接逆浸透膜または正浸透膜に供給できる。
【００１１】
第２の発明の放射能汚染水処理システムは、第１の発明において、前記蒸発処理装置が、複数直列に配置されており、前記蒸発処理装置で分離された蒸発水が、別の前記蒸発処理装置の蒸発器に供給されることを特徴とする。
【００１２】
この構成によると、処理対象となる汚染水の放射性物質濃度が高く、１つ目の蒸発処理装置で得られる蒸発水の放射性物質濃度が高くなる場合であっても、この蒸発水を別の蒸発処理装置で処理するため、最終的に確実に無害化できる。
また、蒸発処理装置を１つだけ備える場合に比べて、逆浸透膜または正浸透膜の上流側の液の放射性物質濃度を低くできるため、逆浸透膜または正浸透膜の交換作業をより安全に行うことができる。
【００１３】
第３の発明の放射能汚染水処理システムは、第１または第２の発明において、前記蒸気移送兼伝熱管が、前記蒸発器の外周面に取り付けられていることを特徴とする。
【００１４】
この構成によると、蒸気移送兼伝熱管が蒸発器の内部に配置されている場合に比べて、蒸発処理装置の構造を簡素化できる。また、蒸気移送兼伝熱管の外周面に汚染水の不純物が付着することによる劣化を防止できる。また、蒸気移送兼伝熱管のメンテナンスが容易となる。
【００１５】
第４の発明の放射能汚染水処理方法は、汚染水に含まれる放射性物質を除去するための放射能汚染水処理方法であって、蒸発器内を圧縮機により減圧して、前記蒸発器内の汚染水を放射性物質の融点よりも低い温度で気化させるとともに、前記圧縮機から排出される圧縮蒸気の有する熱で前記蒸発器内の汚染水を加温する蒸発処理工程と、前記蒸発処理工程により得られた蒸発水を逆浸透膜装置または正浸透膜装置に供給して、当該蒸発水に残存する放射性物質を除去する濾過工程と、を有することを特徴とする。
【００１６】
この構成によると、蒸発器内を減圧して、放射性物質の融点よりも低い温度で汚染水を気化させるため、汚染水中の放射性物質が液化するのを防止できる。そのため、放射性物質が蒸発するのを防止でき、水蒸気中の放射性物質濃度を低減できる。
また、圧縮機から排出された圧縮蒸気の有する熱を蒸発器内の汚染水に与えるため、気化による汚染水の温度低下を補完することができ、汚染水の温度を安定化できる。また、圧縮蒸気を汚染水との熱交換により凝縮させることができるため、圧縮蒸気を凝縮させるための冷却手段を別途設けなくて済む。
また、逆浸透膜および正浸透膜はほぼ水だけを通すため、逆浸透膜装置または正浸透膜装置を用いて蒸発水に残存する放射性物質を除去することにより、蒸発水を無害化できる。
さらに、逆浸透膜または正浸透膜に供給する蒸発水の水温が４０℃以下のため、特別な冷却装置を設けることなく直接逆浸透膜または正浸透膜に供給できる。
【図面の簡単な説明】
【００１７】
【図１】本発明の実施形態に係る放射能汚染水処理システムの構成図である。
【図２】本発明の他の実施形態に係る放射能汚染水処理システムの構成図である。
【図３】本発明の他の実施形態に係る放射能汚染水処理システムの一部を示す構成図である。
【図４】本発明の他の実施形態に係る放射能汚染水処理システムの構成図である。
【図５】本発明の他の実施形態に係る放射能汚染水処理システムの構成図である。
【発明を実施するための形態】
【００１８】
以下、本発明の実施の形態について説明する。
本実施形態の放射能汚染水処理システム１は、原水タンク２と、第１蒸発濃縮装置１０と、バッファタンク４と、逆浸透膜装置２０と、濃縮水タンク５と、第２蒸発濃縮装置３０と、固化装置４０とを備えている。なお、第１蒸発濃縮装置１０が、本発明の蒸発処理装置に相当する。
【００１９】
原水タンク２には、処理対象となる汚染水が貯留される。本実施形態の放射能汚染水処理システム１は、セシウムを含む汚染水を処理対象とする。汚染水には、セシウム以外の放射性物質（例えばヨウ素、コバルト、ストロンチウム）や、海水や、油などが含まれていてもよい。原水タンク２内の汚染水は、ポンプ３によって、第１蒸発濃縮装置１０に供給されるようになっている。
【００２０】
第１蒸発濃縮装置１０は、原水タンク２から汚染水が供給される蒸発器１１と、圧縮機１２と、蒸気移送兼伝熱管１３と、ヒーター１４とを備えている。第１蒸発濃縮装置１０は、蒸発器１１内の汚染水を減圧雰囲気下で低温で沸騰させて、汚染水を蒸発水と濃縮汚染水とに分離する装置である。蒸発器１１の下端部には、濃縮汚染水を排出するための排出口が設けられている。なお、この実施形態の場合、汚染水を沸騰させているが、必ずしも完全な沸騰状態にする必要は無い。実質的に汚染水が十分に気化できる状態であればよい。
【００２１】
圧縮機１２の吸込口側は、蒸発器１１の内部と連通している。圧縮機１２は、蒸発器１１内の圧力を、セシウムの融点（２８℃）よりも低い温度で汚染水を沸騰（気化）させることができる圧力に減圧する。２０℃における水の飽和蒸気圧が約２ｋＰａであり、汚染水（溶液）の飽和蒸気圧は水（溶媒）の飽和蒸気圧よりも低いことから、沸騰目標温度を例えば２０℃とする場合、蒸発器１１内の圧力は２ｋＰａ未満に減圧される。蒸発器１１内の圧力は、一定であってもよく、汚染水が濃縮されて濃度が高くなるほど低くしてもよい。
【００２２】
圧縮機１２の吹出口側は、蒸気移送兼伝熱管１３に接続されている。蒸発器１１内から圧縮機１２で吸引されて、圧縮機１２で圧縮されて昇温した圧縮気体は、蒸気移送兼伝熱管１３に供給される。蒸気移送兼伝熱管１３は、蒸発器１１内に配置されており、蒸発器１１内の汚染水と接触するようになっている。蒸気移送兼伝熱管１３によって、圧縮機１２から排出された圧縮気体の有する熱が、蒸発器１１内の汚染水に与えらえる。この熱交換により、蒸発器１１内の汚染水は加温され、蒸気移送兼伝熱管１３内の圧縮気体は冷却されて凝縮し、蒸発水となる。なお、図１では、蒸気移送兼伝熱管１３はＵ字状に形成されているが、この形状に限定されるものではない。
【００２３】
ヒーター１４は、蒸発器１１内の汚染水を加熱するためのものであって、蒸発器１１の外部に配置されている。ヒーター１４は、第１蒸発濃縮装置１０の運転中（圧縮機１２の駆動中）、常に稼動しているわけではなく、蒸気移送兼伝熱管１３による熱交換だけでは蒸発器１１内の汚染水を所定の温度（例えば約２０℃）まで昇温できないときにのみ稼動する。
【００２４】
バッファタンク４は、蒸気移送兼伝熱管１３の下流側に接続されており、バッファタンク４には、蒸気移送兼伝熱管１３内で凝縮した蒸発水が供給される。
【００２５】
逆浸透膜装置２０は、逆浸透膜モジュール２１と、ポンプ２２とを備えている。ポンプ２２は、バッファタンク４内の蒸発水を、浸透圧以上に加圧して逆浸透膜モジュール２１に供給するためのものである。
【００２６】
逆浸透膜モジュール２１は、図示は省略するが、例えば、多数の孔が設けられた多孔パイプの周囲に逆浸透膜を巻回したものを、円筒状の容器に収容した構造となっている。逆浸透膜は、ほぼ水だけを通過させる濾過膜である。逆浸透膜モジュール２１に加圧供給された蒸発水は、逆浸透膜を透過して中央の多孔パイプに流入する浄化水と、逆浸透膜を透過しないで放射性物質濃度が高めれらた濃縮汚染水とに分離されて排出される。逆浸透膜モジュール２１から排出された浄化水は、海域に放流され、濃縮汚染水は、第１蒸発濃縮装置１０の蒸発器１１に戻されるようになっている。
【００２７】
濃縮水タンク５は、蒸発器１１の下端部に設けられた排出口に接続されており、濃縮水タンク５には、蒸発器１１から濃縮汚染水が供給される。また、濃縮水タンク５内の濃縮汚染水は、ポンプ６によって、第２蒸発濃縮装置３０に供給されるようになっている。
【００２８】
第２蒸発濃縮装置３０は、濃縮水タンク５から濃縮汚染水が供給される蒸発器３１と、圧縮機３２と、蒸気移送兼伝熱管３３と、ヒーター３４とを備えている。第２蒸発濃縮装置３０は、第１蒸発濃縮装置１０で濃縮された濃縮汚染水をさらに濃縮するための装置であって、蒸発器３１、圧縮機３２、蒸気移送兼伝熱管３３、およびヒーター３４の構成は、第１蒸発濃縮装置１０の蒸発器１１等と同じである。
【００２９】
第２蒸発濃縮装置３０の蒸気移送兼伝熱管３３の下流側は、逆浸透膜モジュール２１から排出された濃縮汚染水を第１蒸発濃縮装置１０の蒸発器１１に供給するための配管の途中に接続されている。したがって、蒸気移送兼伝熱管３３内で凝縮した蒸発水は、逆浸透膜モジュール２１から排出された濃縮汚染水と共に、第１蒸発濃縮装置１０の蒸発器１１に戻されるようになっている。
【００３０】
固化装置４０は、第２蒸発濃縮装置３０の蒸発器３１から排出される濃縮汚染水を、セメントによって固化するための装置である。固化装置４０は、濃縮汚染水が供給される固化容器４１と、固化容器４１内にセメント材料を投入して濃縮汚染水と混練するセメントミキサー４２とを備えている。
【００３１】
次に、放射能汚染水処理システム１を用いた放射能汚染水処理方法について説明する。
【００３２】
まず、原水タンク２に貯留された汚染水が、ポンプ３によって第１蒸発濃縮装置１０の蒸発器１１に供給される。次に、第１蒸発濃縮装置１０の圧縮機１２が駆動されて、蒸発器１１内が減圧される。蒸発器１１内の気体は、圧縮機１２に吸引されて圧縮機１２により圧縮されて昇温した後、蒸気移送兼伝熱管１３に流入して、蒸発器１１内の汚染水を加温する。また、冬場など、圧縮機１２の駆動開始時の蒸発器１１内の汚染水の温度が低い場合には、ヒーター１４が稼動し、蒸発器１１内の汚染水は、蒸気移送兼伝熱管１３による加熱に加えて、ヒーター１４により加熱される。
【００３３】
蒸発器１１内が所定の圧力（例えば２ｋＰａ未満）まで減圧されるとともに、蒸発器１１内の汚染水の温度が所定の温度（例えば２０℃）になると、蒸発器１１内の汚染水が沸騰して気化する。これにより、蒸発器１１内の汚染水が濃縮される。
【００３４】
蒸発器１１内で発生した蒸気は、圧縮機１２に吸引されて圧縮機１２で圧縮された後、蒸気移送兼伝熱管１３に流入し、蒸気移送兼伝熱管１３内において、蒸発器１１内の汚染水と熱交換して凝縮する。凝縮した蒸発水は、バッファタンク４に供給される。
【００３５】
バッファタンク４内の蒸発水は、ポンプ２２によって逆浸透膜モジュール２１に加圧供給される。供給された蒸発水は、逆浸透膜モジュール２１の逆浸透膜を透過して、残存する放射性汚染物質がほぼ完全に除去された浄化水と、逆浸透膜を透過しないで放射性物質濃度が高められた濃縮汚染水とに分離されて排出される。浄化水は、海域に放流され、濃縮汚染水は、第１蒸発濃縮装置１０の蒸発器１１に戻される。
【００３６】
また、蒸発器１１内の濃縮汚染水は、濃縮水タンク５に供給されて一時的に貯留された後、第２蒸発濃縮装置３０の蒸発器３１に供給される。そして、圧縮機３２が駆動して、蒸発器３１内が減圧されるとともに、蒸気移送兼伝熱管３３内を流れる圧縮気体によって蒸発器３１内の汚染水が加温される。また、圧縮機３２の駆動開始時の蒸発器３１内の濃縮汚染水の温度が低い場合には、ヒーター３４が稼動し、蒸発器３１内の濃縮汚染水は、蒸気移送兼伝熱管３３による加熱に加えて、ヒーター３４によって加熱される。
【００３７】
蒸発器３１内が所定の圧力（例えば２ｋＰａ未満）まで減圧されるとともに、蒸発器３１内の濃縮汚染水の温度が所定の温度（例えば２０℃）になると、蒸発器３１内の汚染水が沸騰して気化する。これにより、蒸発器３１内の濃縮汚染水がさらに濃縮される。
【００３８】
蒸発器３１内で発生した蒸気は、圧縮機３２に吸引されて圧縮機３２で圧縮された後、蒸気移送兼伝熱管３３に流入する。そして、蒸気移送兼伝熱管３３内において、蒸発器３１内の汚染水との熱交換により凝縮して蒸発水となった後、第１蒸発濃縮装置１０の蒸発器１１に戻される。
【００３９】
また、蒸発器３１内の濃縮汚染水は、固化装置４０の固化容器４１に投入されて、セメントミキサー４２から供給されるセメント材料と混練されて、固化される。
【００４０】
本実施形態の放射能汚染水処理システム１によると、第１蒸発濃縮装置１０において、蒸発器１１内を減圧して、放射性物質の融点よりも低い温度で汚染水を沸騰（気化）させるため、汚染水中の放射性物質が液化するのを防止できる。そのため、放射性物質が蒸発するのを防止でき、水蒸気中の放射性物質濃度を低減できる。
また、圧縮機１２から排出された圧縮蒸気の有する熱を蒸発器１１内の汚染水に与えるため、沸騰（気化）による汚染水の温度低下を補完することができ、汚染水の温度を安定化できる。また、圧縮蒸気を汚染水との熱交換により凝縮させることができるため、圧縮蒸気を凝縮させるための冷却手段を別途設けなくて済む。
また、逆浸透膜はほぼ水だけを通すため、逆浸透膜装置２０を用いて蒸発水に残存する放射性物質を除去することにより、蒸発水を無害化できる。
さらに、逆浸透膜に供給する蒸発水の水温が４０℃以下のため、特別な冷却装置を設けることなく直接逆浸透膜に供給できる。
【００４１】
また、ゼオライトなどの吸着剤などを用いて放射能汚染水の処理を行う場合、汚染水に海水や油が含まれていると、吸着剤の吸着率が低くなるため、汚染水から塩分や油を除去するための装置が必要となる。
一方、本実施形態では、汚染水を沸騰（気化）させて蒸発水と濃縮汚染水とに分離するため、汚染水に塩分や油などが含まれていても、蒸発水には塩分や油などが含まれない。そのため、塩分や油などの不純物を除去するための装置が不要となる。
【００４２】
また、本実施形態では、第１蒸発濃縮装置１０で濃縮された汚染水を、第２蒸発濃縮装置３０でさらに濃縮するため、濃縮汚染水の量を低減できる。その結果、最終処分される固化が容易になる。
【００４３】
また、本実施形態では、濃縮汚染水を固化装置４０によって処理して、放射性物質を固化体に閉じ込めるため、放射性物質を安全に処分することができる。
【００４４】
以上、本発明の好適な実施形態を説明したが、上記の実施形態は以下のように変更して実施することができる。なお、上記実施形態と同様の構成を有するものについては、同じ符号を用いて適宜その説明を省略する。
【００４５】
上記実施形態の放射能汚染水処理システム１は、第１蒸発濃縮装置（蒸発処理装置）１０を１つだけ備えているが、例えば図２に示すように、第１蒸発濃縮装置が複数直列に配置されていてもよい。図２では、２つの第１蒸発濃縮装置１０Ａ、１０Ｂが直列に配置されており、一方の第１蒸発濃縮装置１０Ａから排出された蒸発水が、他方の第１蒸発濃縮装置１０Ｂの蒸発器１１に供給されるようになっている。また、第１蒸発濃縮装置１０Ｂで濃縮された濃縮汚染水は、第１蒸発濃縮装置１０Ａの蒸発器１１に戻されるようになっている。
この構成によると、処理対象となる汚染水の放射性物質濃度が高く、１つ目の第１蒸発濃縮装置で得られる蒸発水の放射性物質濃度が高くなる場合であっても、この蒸発水を別の第１蒸発濃縮装置で処理するため、最終的に確実に無害化できる。
また、第１蒸発濃縮装置１０を１つだけ備える場合に比べて、逆浸透膜の上流側の液の放射性物質濃度を低くできるため、逆浸透膜の交換作業をより安全に行うことができる。
【００４６】
上記実施形態では、第１蒸発濃縮装置１０の蒸気移送兼伝熱管１３は、蒸発器１１の内部に設置されているが、例えば図３に示す第１蒸発濃縮装置１１０のように、蒸気移送兼伝熱管１１３が蒸発器１１１の外周面に取り付けられ、蒸気移送兼伝熱管１１３内の圧縮蒸気と蒸発器１１１内の汚染水とが熱交換可能に構成されていてもよい。なお、図３ではヒーター１４を省略して表示している。
この構成によると、蒸気移送兼伝熱管が蒸発器の内部に配置されている場合に比べて、第１蒸発濃縮装置の構造を簡素化できる。また、蒸気移送兼伝熱管の外周面に汚染水の不純物が付着することによる劣化を防止できる。また、蒸気移送兼伝熱管のメンテナンスが容易となる。
また、蒸気移送兼伝熱管を蒸発器の外周面に取り付ける場合、圧縮機に、例えば蒸留水などでのシャワー装置などの洗浄機能を備えるようにすることが好ましい。これにより、万が一、蒸気移送兼伝熱管が破損しても安全性を確保することができる。
また、第２蒸発濃縮装置３０の蒸気移送兼伝熱管３３についても同様に、蒸発器３１の外周面に取り付けてもよい。
【００４７】
上記実施形態の逆浸透膜装置２０は、蒸発水をポンプ２２によって浸透圧以上に加圧して逆浸透膜モジュール２１に供給して、逆浸透膜を通過させているが、例えば図４に示す構成の正浸透膜装置２２０であってもよい。この正浸透膜装置２２０は、海水を引き込むためのポンプ２２２と、正浸透膜モジュール２２１とを備えており、ポンプ２２２によって引き込まれた海水は、正浸透膜モジュール２２１の正浸透膜の下流側に供給されるようになっている。そのため、正浸透膜の下流側（浄化水側）の塩分濃度が上流側（蒸発水側）の塩分濃度よりも高いため、この濃度差によって正浸透膜の上流側から下流側に水が通過して、蒸発水に残存する放射性物質が除去される。
この構成によると、ポンプ２２２は、上記実施形態のポンプ２２ように、浸透圧以上の圧力をかける必要がないため、動力を低減することができる。
【００４８】
上記実施形態では、第１蒸発濃縮装置１０で得られた蒸発水をそのまま逆浸透膜装置２０に供給しているが、例えば図５に示すように、バッファタンク４と逆浸透膜装置２０との間に、ポンプ３０７と、逆浸透膜よりも透過孔の大きい濾過膜３０８（例えばＭＦ膜やＵＦ膜）と、バッファタンク３０９とを配置してもよい。バッファタンク４内の蒸発水は、濾過膜３０８を通過して粒径の大きい不純物が除去されてから、逆浸透膜装置２０に供給される。そのため、逆浸透膜の性能低下を防止することができる。
【００４９】
上記実施形態の固化装置４０は、セメントによって固化しているが、ガラスなどのセメント以外の固化材を用いて固化してもよい。
【００５０】
上記実施形態では、逆浸透膜装置２０から排出される濃縮汚染水と、第２蒸発濃縮装置３０から排出される蒸発水が、第１蒸発濃縮装置１０の蒸発器１１に供給されるようになっているが、原水タンク２に供給されるようになっていてもよい。
【符号の説明】
【００５１】
１  放射能汚染水処理システム
２  原水タンク
３、６、３０７  ポンプ
４、３０９  バッファタンク
５  濃縮タンク
１０、１０Ａ、１０Ｂ、１１０  第１蒸発濃縮装置（蒸発処理装置）
１１、１１１  蒸発器
１２  圧縮機
１３、１１３  蒸気移送兼伝熱管
１４  ヒーター
２０  逆浸透膜装置
２１  逆浸透膜モジュール
２２、２２２  ポンプ
３０  第２蒸発濃縮装置（蒸発処理装置）
３１  蒸発器
３２  圧縮機
３３  蒸気移送兼伝熱管
３４  ヒーター
４０  固化装置
４１  固化容器
４２  セメントミキサー
３０８  濾過膜
２２０  正浸透膜装置
２２１  正浸透膜モジュール
【図１】
2013040868.tif 000003
【図２】
2013040868.tif 000004
【図３】
2013040868.tif 000005
【図４】
2013040868.tif 000006
【図５】
2013040868.tif 000007